【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
分散顔料と、ポリウレタン樹脂分散系と、前記分散顔料が自己分散性顔料以外の場合には前記顔料の分散を助ける分散剤とを含む、水性インクジェット用インク組成物であって；
前記ポリウレタン樹脂分散系は、式
Ｏ＝Ｃ＝Ｎ−Ｒ−Ｎ＝Ｃ＝Ｏ
のジイソシアネートを含むポリイソシアネートと活性水素含有化合物とを反応させて、ウレタンポリマーまたはプレポリマーを形成し、次いで、これを水性媒体に分散させてポリウレタン樹脂分散系を形成することにより誘導され；
前記ポリウレタン樹脂分散系に組み込まれた前記ポリイソシアネート成分の少なくとも６０重量％は、Ｒ基が４から３０個の炭素原子の脂肪族部分のみ含むので、脂環式イソシアネートとして特徴付けられ；
前記活性水素含有化合物はポリ（グリコールアジペート）を含む、
水性インクジェット用インク組成物。
【請求項２】
式Ｏ＝Ｃ＝Ｎ−Ｒ−Ｎ＝Ｃ＝Ｏの前記ジイソシアネートが、Ｈ１２  ＭＤＩおよびＩＰＤＩからなる群から選択される、請求項１に記載の水性インクジェット用インク組成物。
【請求項３】
前記ジイソシアネートの少なくとも８５％が、Ｈ１２  ＭＤＩ（実質的に脂肪族および環状）、ＩＰＤＩ（実質的に脂肪族および環状）、およびこれらの混合物からなる群から選択される、請求項１に記載の水性インクジェット用インク組成物。
【請求項４】
前記ジイソシアネートの少なくとも８５％が、Ｈ１２  ＭＤＩからなる群から選択される、請求項１に記載の水性インクジェット用インク組成物。
【請求項５】
前記ポリ（グリコールアジペート）が、アジピン酸と、エチレングリコール、１，２−プロピレングリコール、１，３−プロピレングリコール、１，２−ブチレングリコール、１，３−ブチレングリコール、１，４−ブチレングリコール、２，３−ブチレングリコール、ヘキサンジオール、ネオペンチルグリコール、１，６−ヘキサンジオール、および１，８−オクタンジオールからなる群から選択されるグリコールとの反応物を含む、請求項１から４のいずれかに記載の水性インクジェット用インク組成物。
【請求項６】
前記ポリウレタン樹脂が、１，６−ヘキサンジオールおよびネオペンチルグリコールのアジピン酸エステルとして特徴付けられるポリエステルを含む活性水素含有化合物から誘導される、請求項５に記載の水性インクジェット用インク組成物。
【請求項７】
前記１，６−ヘキサンジオールおよびネオペンチルグリコールのアジピン酸エステルとして特徴付けられる前記ポリエステルが、５００から１０，０００ダルトンの数平均分子量により特徴付けられる、請求項６に記載の水性インクジェット用インク組成物。
【請求項８】
前記ウレタンを形成するのに使用される前記活性水素含有化合物の少なくとも７５モル％が、アジピン酸と反応させた脂肪族直鎖および分枝状ジオールからのポリエステルである、請求項１から４のいずれかに記載の水性インクジェット用インク組成物。
【請求項９】
前記ウレタンを形成するのに使用される前記活性水素含有化合物の少なくとも７５モル％が、アジピン酸と反応させた１，６−ヘキサンジオールおよびネオペンチルグリコールからのポリエステルである、請求項１から４のいずれかに記載の水性インクジェット用インク組成物。
【請求項１０】
前記ポリウレタン樹脂分散系が、式Ｏ＝Ｃ＝Ｎ−Ｒ−Ｎ＝Ｃ＝Ｏのジイソシアネートを含むポリイソシアネートと活性水素含有化合物とを反応させて、ウレタンポリマーまたはプレポリマーを形成することにより誘導され、最初に、約１から約４０ｍｇＫＯＨ／ｇポリマーの酸価を有するプレポリマーを形成する、請求項１から９のいずれかに記載の水性インクジェット用インク組成物。
【請求項１１】
前記ポリウレタン樹脂分散系が、式Ｏ＝Ｃ＝Ｎ−Ｒ−Ｎ＝Ｃ＝Ｏのジイソシアネートを含むポリイソシアネートと、活性水素含有化合物、および一般式（ＨＯ）ｘＱ（ＣＯＯＨ）ｙ（式中、Ｑは、１から１２個の炭素原子を含有する直鎖または分枝状炭化水素基であり、ｘおよびｙは１から３である）を有するヒドロキシカルボン酸との反応から誘導される、請求項１から１０のいずれかに記載の水性インクジェット用インク組成物。
【請求項１２】
ＤＭＰＡおよびＤＭＢＡからなる群から選択されるポリウレタン中に、活性イオンコロイド安定化部分をさらに含む、請求項１に記載の水性インクジェット用インク組成物。
【請求項１３】
前記ポリウレタン樹脂が、連続水相における溶解度が１リットル当たり少なくとも２０グラムである二官能性以上のアミンで鎖延長される、請求項１から１２のいずれかに記載の水性インクジェット用インク組成物。
【請求項１４】
前記二官能性以上のアミンが、
ａ）アルキレンジアミン
ｂ）ヒドラジン
ｃ）アミノエタノールアミン、および
ｄ）これらの混合物
からなる群から選択される、請求項１３に記載の水性インクジェット用インク組成物。
【請求項１５】
前記顔料または染料が、前記組成物の２から１０重量％であり、前記ポリウレタンまたはウレタンプレポリマーが、前記組成物の５から３０重量％であり、水が、前記組成物の２０から７０重量％である、請求項１から１４のいずれかに記載のインクジェット用インク組成物。
【請求項１６】
プロピレングリコール、グリセリン、イソプロピルアルコール、および数平均分子量が２００から６００ダルトンのポリエチレングリコール、およびグリコールエーテルからなる群から選択される（１種または複数の）共溶媒を、１０から３０重量％さらに含む、請求項１５に記載のインクジェット用インク組成物。
【請求項１７】
前記ポリウレタンまたはウレタンプレポリマーが、ウレタンとアクリルポリマーとの混成ポリマーである、請求項１から１１のいずれかに記載のインクジェット用インク組成物。
【請求項１８】
２５℃で２から５ｃＰの粘度を有する、請求項１から１４のいずれかに記載のインクジェット用インク組成物。
【請求項１９】
２５〜７０℃の動作温度で１０から１５ｃＰの粘度を有する、請求項１から１４のいずれかに記載のインクジェット用インク組成物。
【請求項２０】
請求項１から１９のいずれかに記載の水性インクジェット用インク組成物を含むインクジェットで生成される、写真、巻かれたテキスタイル製品、または衣類上のインクジェット印刷画像。
【請求項２１】
請求項１から１９のいずれかに記載のインクジェット用インク組成物をデジタル式に噴射することにより生成された、被膜、織布、または不織布基材の形をとる合成ポリマー上のインクジェット印刷画像。
【請求項２２】
請求項１から１９のいずれかによるインクジェット用インク組成物をデジタル式に噴射することにより生成された、バナー、標示、ビルボード、または購買時点広告の形をとる広告上のインクジェット印刷画像。
【手続補正２】
【補正対象書類名】明細書
【補正対象項目名】００１１
【補正方法】変更
【補正の内容】
【００１１】
一実施形態では、インクジェット用インクは、ポリ（グリコールアジペート）、および必要に応じてアミンまたはその他の塩基で中和したときにプレポリマーに水分散性を与えるヒドロキシカルボン酸成分と反応させた、脂肪族ジイソシアネート（好ましくは、ジイソシアネートの脂肪族部分に４〜３０個の炭素原子を有し、より好ましくは、４〜３０個の炭素原子を有する脂環式ジイソシアネート）から作製された、ポリウレタン樹脂分散系を含む。一実施形態では、ポリ（グリコールアジペート）は、３から８個の炭素原子を有するグリコールから選択され、好ましくはネオペンチルグリコールおよび／または１，６−ヘキサンジオールである。一実施形態では、ポリ（グリコールアジペート）は、約５００から約１０，０００ダルトンの分子量を有する。一実施形態では、プレポリマーは本質的に、前記ジイソシアネート、前記ポリ（グリコールアジペート）、および前記ヒドロキシカルボン酸の反応生成物からなり、非イオン性水分散性増強成分または低分子量ジオールもしくはトリオール（例えば、２〜２０個の炭素原子を含む）など、有意な量のその他の成分を含まない。これらの実施形態では、ウレタン成分は、インクジェット印刷プロセスを容易に通過し耐久性ある画像を形成する、良好な特性をインクに与えると見られる。
一実施形態において、例えば、以下の項目が提供される。
（項目１）
分散顔料と、ポリウレタン樹脂分散系と、前記分散顔料が自己分散性顔料以外の場合には前記顔料の分散を助ける分散剤とを含む、水性インクジェット用インク組成物であって；
前記ポリウレタン樹脂分散系は、式
Ｏ＝Ｃ＝Ｎ−Ｒ−Ｎ＝Ｃ＝Ｏ
のジイソシアネートを含むポリイソシアネートと活性水素含有化合物とを反応させて、ウレタンポリマーまたはプレポリマーを形成し、次いで、これを水性媒体に分散させてポリウレタン樹脂分散系を形成することにより誘導され；
前記ポリウレタン樹脂分散系に組み込まれた前記ポリイソシアネート成分の少なくとも６０重量％は、Ｒ基が４から３０個の炭素原子の脂肪族部分のみ含むので、脂環式イソシアネートとして特徴付けられ；
前記活性水素含有化合物はポリ（グリコールアジペート）を含む、
水性インクジェット用インク組成物。
（項目２）
式Ｏ＝Ｃ＝Ｎ−Ｒ−Ｎ＝Ｃ＝Ｏの前記ジイソシアネートが、Ｈ１２  ＭＤＩ（実質的に脂肪族および環状）およびＩＰＤＩ（実質的に脂肪族および環状）からなる群から選択される、項目１に記載の水性インクジェット用インク組成物。
（項目３）
前記ジイソシアネートの少なくとも８５％が、Ｈ１２  ＭＤＩ（実質的に脂肪族および環状）、ＩＰＤＩ（実質的に脂肪族および環状）、およびこれらの混合物からなる群から選択される、項目１または２に記載の水性インクジェット用インク組成物。
（項目４）
前記ジイソシアネートの少なくとも８５％が、Ｈ１２  ＭＤＩ（実質的に脂肪族および環状）からなる群から選択される、項目１、２、または３に記載の水性インクジェット用インク組成物。
（項目５）
前記活性水素含有化合物がポリ（グリコールアジペート）を含み、前記ポリ（グリコールアジペート）が、アジピン酸と、エチレングリコール、１，２−プロピレングリコール、１，３−プロピレングリコール、１，２−ブチレングリコール、１，３−ブチレングリコール、１，４−ブチレングリコール、２，３−ブチレングリコール、ヘキサンジオール、ネオペンチルグリコール、１，６−ヘキサンジオール、および１，８−オクタンジオールからなる群から選択されるグリコールとの反応物を含む、前記項目のいずれかに記載の水性インクジェット用インク組成物。
（項目６）
前記ポリウレタン樹脂が、１，６−ヘキサンジオールおよびネオペンチルグリコールのアジピン酸エステルとして特徴付けられるポリエステルを含む活性水素含有化合物から誘導される、項目５に記載の水性インクジェット用インク組成物。
（項目７）
前記１，６−ヘキサンジオールおよびネオペンチルグリコールのアジピン酸エステルとして特徴付けられる前記ポリエステルが、５００から１０，０００ダルトンの数平均分子量により特徴付けられる、項目６に記載の水性インクジェット用インク組成物。
（項目８）
前記活性水素含有化合物が、同じポリマー（主鎖）タイプを含むが異なる分子量を有する２種以上の活性水素含有化合物の混合物を含む、項目７に記載の水性インクジェット用インク組成物。
（項目９）
前記ウレタンを形成するのに使用される前記活性水素含有化合物の少なくとも７５モル％が、アジピン酸と反応させた脂肪族直鎖および分枝状ジオールからのポリエステルである、前記項目のいずれかに記載の水性インクジェット用インク組成物。
（項目１０）
前記ウレタンを形成するのに使用される前記活性水素含有化合物の少なくとも７５モル％が、アジピン酸と反応させた１，６−ヘキサンジオールおよびネオペンチルグリコールからのポリエステルである、前記項目のいずれかに記載の水性インクジェット用インク組成物。
（項目１１）
前記ウレタンを形成するのに使用される前記活性水素含有化合物の少なくとも８５モル％が、アジピン酸と反応させた脂肪族直鎖および分枝状ジオールからのポリエステルである、前記項目のいずれかに記載の水性インクジェット用インク組成物。
（項目１２）
前記ポリウレタン樹脂分散系が、式Ｏ＝Ｃ＝Ｎ−Ｒ−Ｎ＝Ｃ＝Ｏのジイソシアネートを含むポリイソシアネートと活性水素含有化合物とを反応させて、ウレタンポリマーまたはプレポリマーを形成することにより誘導され、最初に、約１から約４０（より望ましくは約１０から約３５）ｍｇＫＯＨ／ｇポリマーの酸価を有するプレポリマーを形成する、前記項目のいずれかに記載の水性インクジェット用インク組成物。
（項目１３）
前記ポリウレタン樹脂分散系が、式Ｏ＝Ｃ＝Ｎ−Ｒ−Ｎ＝Ｃ＝Ｏのジイソシアネートを含むポリイソシアネートと、活性水素含有化合物、および一般式（ＨＯ）ｘＱ（ＣＯＯＨ）ｙ（式中、Ｑは、１から１２個の炭素原子を含有する直鎖または分枝状炭化水素基であり、ｘおよびｙは１から３である）を有するヒドロキシカルボン酸との反応から誘導される、前記項目のいずれかに記載の水性インクジェット用インク組成物。
（項目１４）
前記ポリウレタン樹脂分散系が、ａ）式Ｏ＝Ｃ＝Ｎ−Ｒ−Ｎ＝Ｃ＝Ｏの前記ジイソシアネートと、ｂ）前記活性水素含有化合物、ｃ）一般式（ＨＯ）ｘＱ（ＣＯＯＨ）ｙ（式中、Ｑは、１から１２個の炭素原子を含有する直鎖または分枝状炭化水素基であり、ｘおよびｙは１から３である）を有するヒドロキシカルボン酸、必要に応じてｄ）鎖延長剤、および必要に応じてｅ）プレポリマーｐＨ中和剤とを反応させることから得られる反応生成物から本質的になる、前記項目のいずれかに記載の水性インクジェット用インク組成物。
（項目１５）
ＤＭＰＡおよびＤＭＢＡからなる群から選択されるポリウレタンまたはウレタンプレポリマー中に、活性イオンコロイド安定化部分を含む（項目１２から１４の場合）またはさらに含む（項目１から１１）、項目１から１４のいずれかに記載の水性インクジェット用インク組成物。
（項目１６）
前記ポリウレタン樹脂が、連続水相における溶解度が１リットル当たり少なくとも２０グラムである二官能性以上のアミンで鎖延長され、前記項目のいずれかに記載の水性インクジェット用インク組成物。
（項目１７）
前記二官能性以上のアミンが、
ａ）アルキレンジアミン
ｂ）ヒドラジン
ｃ）アミノエタノールアミン、および
ｄ）これらの混合物
からなる群から選択される、項目１６に記載の水性インクジェット用インク組成物。
（項目１８）
項目１から１７および２１から２６のいずれかに記載の水性インクジェット用インク組成物を含むインクジェットで生成される、写真、巻かれたテキスタイル製品、または衣類上のインクジェット印刷画像。
（項目１９）
項目１から１７および２１から２６のいずれかに記載のインクジェット用インク組成物をデジタル式に噴射することにより生成された、被膜、織布、または不織布基材の形をとる合成ポリマー上のインクジェット印刷画像。
（項目２０）
項目１から１７および２１から２６のいずれかによるインクジェット用インク組成物をデジタル式に噴射することにより生成された、バナー、標示、ビルボード、または購買時点広告の形をとる広告上のインクジェット印刷画像。
（項目２１）
前記顔料または染料が、前記組成物の２から１０重量％であり、前記ポリウレタンまたはウレタンプレポリマーが、前記組成物の５から３０重量％であり、水が、前記組成物の２０から７０重量％である、項目１から１７のいずれかに記載のインクジェット用インク組成物。
（項目２２）
プロピレングリコール、グリセリン、イソプロピルアルコール、数平均分子量が２００から６００ダルトンのポリエチレングリコール、およびグリコールエーテルからなる群から選択される（１種または複数の）共溶媒を、１０から３０重量％さらに含む、項目２１に記載のインクジェット用インク組成物。
（項目２３）
前記ポリウレタンまたはウレタンプレポリマーが、ウレタンとアクリルポリマーとの混成ポリマーである、項目１から１３のいずれかに記載のインクジェット用インク組成物。
（項目２４）
前記ポリウレタン樹脂分散系が、前記ポリウレタン分散系の重量に対して１０００ｐｐｍ未満、より望ましくは１００ｐｐｍ未満の揮発性有機溶媒（ＮＭＰなど）を含む、項目１から１７のいずれかに記載のインクジェット用インク組成物。
（項目２５）
２５℃で２から５ｃＰの粘度を有する、項目１から１７のいずれかに記載のインクジェット用インク組成物。
（項目２６）
２５〜７０℃の動作温度で１０から１５ｃＰの粘度を有する、項目１から１７のいずれかに記載のインクジェット用インク組成物。